(57)【要約】  【課題】  傘を閉じた際に付着している雨滴が周囲に落下したり、衣服等を濡らさず、傘を開閉する際の操作性や傘を閉じた際のコンパクト化、見栄え等を備えること。  【解決手段】  雨傘１００において、傘を開く際には、移動部材４０から先端側に対して握柄部材８０が引張られ、軸部材５０の先端５１の拘束部材６０が先端部材３０に螺合される。こののち、移動部材４０が先端部材３０側から手元側に摺動されることで徐々に傘骨１０等が傘の開き側となり、最終的に、移動部材４０が係止部材７０に当接され停止されると傘が完全に開いた状態となる。一方、傘を閉じる際には、移動部材４０や握柄部材８０が順次、逆方向に移動される。この際、傘生地１に付着した雨滴は、傘生地１の雨滴を受ける側が、傘を閉じた際に内側となるため雨滴の周囲への飛散が少なく、このまま傘骨１０側を上にして持ち歩けば、雨滴が周囲に付着して迷惑をかけることもない。  【選択図】    図１
2006280836.tif 000002
【特許請求の範囲】
【請求項１】
傘生地の雨滴を受ける側が、傘を閉じた際に内側となる雨傘において、
前記傘生地が張られた複数の傘骨の各々の中間部位を一端にて軸支した複数の支骨の他端を軸支する移動部材と、
前記傘生地の略中心部位を端部に固定すると共に、前記複数の傘骨の根元端を端部で軸支し、前記移動部材の軸中心を貫通して摺動自在に配設された先端軸部材と、
前記先端軸部材の他端部側に固定された握柄部材と
を具備することを特徴とする雨傘。
【請求項２】
傘生地の雨滴を受ける側が、傘を閉じた際に内側となる雨傘において、
前記傘生地が張られた複数の傘骨の各々の中間部位を一端にて軸支した複数の支骨の他端を軸支する移動部材と、
前記複数の傘骨の根元端を端部で軸支する先端部材と、
前記傘生地の略中心部位及び前記先端部材を端部に固定すると共に、前記移動部材の軸中心を貫通して摺動自在に配設された軸部材と、
前記軸部材の他端部側に固定された握柄部材と
を具備することを特徴とする雨傘。
【請求項３】
前記握柄部材は、前記先端軸部材または前記軸部材の他端部側を長さ方向に進退自在に収納すると共に、その他端部を傘を開いた状態で先端側、また、傘を閉じた状態で手元端側に固定することを特徴とする請求項１または請求項２に記載の雨傘。
【請求項４】
傘生地の雨滴を受ける側が、傘を閉じた際に内側となる雨傘において、
前記傘生地が張られた複数の傘骨の各々の中間部位を一端にて軸支した複数の支骨の他端を軸支する移動部材と、
前記傘生地の略中心部位を端部に固定すると共に、前記複数の傘骨の根元端を端部で軸支する先端部材と、
前記先端部材及び前記移動部材の各々の軸中心を貫通して摺動自在に配設された軸部材と、
傘を開く際に前記軸部材の先端方向への前記先端部材の移動を、前記軸部材の端部で停止させると共に、前記先端部材を前記軸部材の端部に拘束する拘束部材と、
前記先端部材を前記軸部材の端部に前記拘束部材で拘束した状態で傘を開く際、前記移動部材の移動を所望位置に係止すると共に、傘を閉じる際、前記所望位置での係止を解除させる係止部材と、
前記軸部材の他端部側に固定された握柄部材と
を具備することを特徴とする雨傘。
【請求項５】
更に、前記複数の傘骨に摺動自在に配設され、前記傘生地の外周部を取付けた取付部材と、
前記傘生地に対して張力が加わるように前記取付部材に弾性力を付与する弾性部材と
を具備することを特徴とする請求項１乃至請求項４の何れか１つに記載の雨傘。
【請求項６】
更に、前記握柄部材及び／または前記移動部材に配設され、傘を閉じた状態で前記握柄部材と前記移動部材との相互間の距離を保持する保持手段を具備することを特徴とする請求項１乃至請求項５の何れか１つに記載の雨傘。
【請求項７】
前記保持手段は、前記握柄部材と前記移動部材との相互間を永久磁石で吸引させることによって相互間の距離を保持することを特徴とする請求項６に記載の雨傘。
【発明の詳細な説明】
【技術分野】
【０００１】
本発明は、傘生地の雨滴を受ける側が、傘を閉じた際に内側となる雨傘に関するものである。
【背景技術】
【０００２】
従来、傘生地の雨滴を受ける側が、傘を閉じた際に内側となる雨傘に関連する先行技術文献としては、特許文献１にて開示されたものが知られている。このものでは、傘に雨滴が付着した状態で車両等に乗車したり、店舗内に入ったりして傘を閉じた際、傘に付着している雨滴が車内や店舗内へ落下するのを防止すると共に、傘に付着している雨滴によって自分や周囲の人の衣服等を濡らすことを防止する技術が示されている。
【特許文献１】特開平６−１０７号公報
【発明の開示】
【発明が解決しようとする課題】
【０００３】
ところで、特許文献１では、傘が開かれている状態から傘軸に対して傘骨等を上方へ押し上げすぼめることにより、傘に張られた傘生地の雨滴を受ける側が、内側となって傘が閉じられた状態とするものである。つまり、この傘を閉じる際には、傘軸に対して通常と逆方向に操作部をスライドさせ、所謂、傘のお猪口（オチョコ）状態を通り越して閉じ側へ操作することによって、当初の目的を達成することができるのである。
【０００４】
このような構造からなる雨傘は、前述のように、従来のものにはない数々の利点を有しており商品化の要望としては強いものの、傘を開閉する際の操作性や傘を閉じた際のコンパクト化及び見栄え等が考慮されていないため、実際の商品化にはほど遠いものであった。
【０００５】
そこで、この発明はかかる不具合を解決するためになされたもので、傘を閉じた際に付着している雨滴が周囲に落下したり、衣服等を濡らすことがなく、更に、傘を開閉する際の操作性や傘を閉じた際のコンパクト化、見栄え等を兼ね備えた雨傘の提供を課題としている。
【課題を解決するための手段】
【０００６】
請求項１の雨傘は、傘生地の雨滴を受ける側が、傘を閉じた際に内側となるものであって、前記傘生地が張られた複数の傘骨の各々の中間部位を一端にて軸支した複数の支骨の他端を軸支する移動部材と、前記傘生地の略中心部位を端部に固定すると共に、前記複数の傘骨の根元端を端部で軸支し、前記移動部材の軸中心を貫通して摺動自在に配設された先端軸部材と、前記先端軸部材の他端部側に固定された握柄部材とを具備するものにおいて、前記移動部材は、傘生地が張られた複数の傘骨の各々の中間部位を一端にて軸支した複数の支骨の他端を軸支するものであるが、一体の構成とすることもできるし、前記複数の支骨の他端を軸支の部品と、その他の部品との複数部品の組付けで構成することもできる。
また、前記先端軸部材は、傘生地の略中心部位を端部に固定すると共に、前記複数の傘骨の根元端を端部で軸支し、前記移動部材の略軸中心を貫通し、前記移動部材との間を挿通移動自在に配設されたものであればよく、傘生地の略中心部位を端部に固定すると共に、前記複数の傘骨の根元端の軸支の部品と、前記移動部材の略軸中心を貫通する部品とを別部品とし、それを一体化する構成としてもよい。
そして、前記握柄部材は、前記先端軸部材の他端部側に固定するものであり、前記先端軸部材と一体の構成とすることもできるし、前記先端軸部材に固定する部品と、その他の部品との複数の部品の組付けで構成することもできる。
【０００７】
請求項２の雨傘は、傘生地の雨滴を受ける側が、傘を閉じた際に内側となるものであって、前記傘生地が張られた複数の傘骨の各々の中間部位を一端にて軸支した複数の支骨の他端を軸支する移動部材と、前記複数の傘骨の根元端を端部で軸支する先端部材と、前記傘生地の略中心部位及び前記先端部材を端部に固定すると共に、前記移動部材の軸中心を貫通して摺動自在に配設された軸部材と、前記軸部材の他端部側に固定された握柄部材とを具備するものにおいて、前記移動部材は、傘生地が張られた複数の傘骨の各々の中間部位を一端にて軸支した複数の支骨の他端を軸支するものであるが、一体の構成とすることもできるし、前記複数の支骨の他端を軸支の部品と、その他の部品との複数部品の組付けで構成することもできる。
また、前記先端部材は、前記複数の傘骨の根元端を端部で軸支するものであり、一体の構成とすることもできるし、前記複数の傘骨の根元端を端部で軸支の部品と、前記軸部材に固定する部品との複数部品の組付けで構成することもできる。
そして、前記軸部材は、前記傘生地の略中心部位及び前記先端部材を端部に固定すると共に、前記移動部材の略軸中心を貫通し、前記移動部材との間を挿通移動自在に配設されたものであるが、前記傘生地の略中心部位を端部に固定する部品と、前記先端部材を端部に固定する部品と、前記移動部材の略軸中心を貫通する部品とを別部品とし、それを一体化する構成としてもよい。
更に、前記握柄部材は、前記軸部材の他端部側に固定するものであり、前記軸部材と一体の構成とすることもできるし、前記軸部材に固定する部品と、その他の部品との複数の部品の組付けで構成することもできる。
【０００８】
請求項３の雨傘は、請求項１または請求項２に記載の要件に加えて、前記握柄部材が、前記先端軸部材または前記軸部材の他端部側を長さ方向に進退自在に収納すると共に、その他端部を傘を開いた状態で先端側、また、傘を閉じた状態で手元端側に固定するものである。
前記握柄部材は、前記先端軸部材または前記軸部材の他端部側を長さ方向に進退自在に収納する部品と、その他端部を両端側で固定する部品とを一体の構成とすることもできるし、複数の部品の組付けで構成することもできる。
【０００９】
請求項４の雨傘は、傘生地の雨滴を受ける側が、傘を閉じた際に内側となるものであって、前記傘生地が張られた複数の傘骨の各々の中間部位を一端にて軸支した複数の支骨の他端を軸支する移動部材と、前記傘生地の略中心部位を端部に固定すると共に、前記複数の傘骨の根元端を端部で軸支する先端部材と、前記先端部材及び前記移動部材の各々の軸中心を貫通して摺動自在に配設された軸部材と、傘を開く際に前記軸部材の先端方向への前記先端部材の移動を、前記軸部材の端部で停止させると共に、前記先端部材を前記軸部材の端部に拘束する拘束部材と、前記先端部材を前記軸部材の端部に前記拘束部材で拘束した状態で傘を開く際、前記移動部材の移動を所望位置に係止すると共に、傘を閉じる際、前記所望位置での係止を解除させる係止部材と、前記軸部材の他端部側に固定された握柄部材とを具備するものにおいて、前記移動部材は、傘生地が張られた複数の傘骨の各々の中間部位を一端にて軸支した複数の支骨の他端を軸支するものであるが、一体の構成とすることもできるし、前記複数の支骨の他端を軸支の部品と、その他の部品との複数部品の組付けで構成することもできる。
また、前記先端部材は、前記傘生地の略中心部位を端部に固定すると共に、前記複数の傘骨の根元端を端部で軸支するものであり、一体の構成とすることもできるし、前記傘生地の略中心部位を端部に固定する部品と、前記複数の傘骨の根元端を端部で軸支の部品との複数部品の組付けで構成することもできる。
そして、前記軸部材は、前記先端部材及び前記移動部材の各々の軸中心を貫通し、前記先端部材及び前記移動部材との間を各々挿通移動自在に配設されたものであるが、前記軸部材の長さは、傘を閉じた状態で前記複数の傘骨から突出せず、傘を開いた状態のときに手元端側が適当な位置となるように設定される。
更に、前記拘束部材は、傘を開く際に前記軸部材の先端方向への前記移動部材による前記先端部材の移動を、前記軸部材の端部で停止させると共に、前記先端部材を前記軸部材の端部に拘束するものであり、一体の構成とすることもできるし、前記先端部材を前記軸部材の端部で停止させる部品と、前記先端部材を端部で拘束する部品との複数の部品の組付けで構成することもできる。
更にまた、前記係止部材は、前記拘束部材で前記先端部材を拘束させた状態で傘を開く際、前記移動部材の移動を所望位置で係止すると共に、傘を閉じる際、前記所望位置での係止を解除させるものであり、一体の構成とすることもできるし、複数の部品の組付けで構成することもできる。
加えて、前記握柄部材は、前記軸部材の他端部側に固定するものであり、前記軸部材と一体の構成とすることもできるし、前記軸部材に固定する部品と、その他の部品との複数の部品の組付けで構成することもできる。
【００１０】
請求項５の雨傘は、請求項１乃至請求項４に記載の要件に加えて、更に、前記複数の傘骨に摺動自在に配設され、先端に前記傘生地の外周部を取付けた取付部材と、前記傘生地に張力が加わるように前記取付部材に弾性力を付与する弾性部材とを具備するものである。
ここで、前記傘生地の外周部が取付けられた前記取付部材は、前記複数の傘骨の先端に挿嵌されて摺動自在に配設された部品であり、弾性部材としてのばね部品によって弾性力が付与される取付部材を介して傘生地が引張られることで傘生地に対して張力が加えられる構成とすることができる。
【００１１】
請求項６の雨傘は、請求項１乃至請求項５に記載の要件に加えて、更に、前記握柄部材及び／または前記移動部材に配設され、傘を開いた状態または傘を閉じた状態で前記握柄部材と前記移動部材との相互間の距離を保持する保持手段を具備するものである。
ここで、傘を開いた状態または傘を閉じた状態で前記握柄部材と前記移動部材との相互間の距離を保持する保持手段は、前記握柄部材及び／または前記移動部材に配設される部品であり、各々の材質や形状等に応じて一体の構成とすることもできるし、複数の部品の組付けで構成することもできる。
【００１２】
請求項７の雨傘は、請求項６に記載の要件に加えて、前記保持手段が、前記握柄部材と前記移動部材との相互間を永久磁石で吸引させることによって相互間の距離を保持するものである。
前記握柄部材と前記移動部材との材質に応じて、片方が磁性材料からなる部品、または両方が磁性材料からなる部品である場合には、他方または何れか一方に永久磁石からなる部品を取付けるだけで相互間が吸引されることとなり、両方が非磁性材料からなる部品である場合には、一方に永久磁石、かつ、他方に磁性材料からなる部品を取付けることで相互間が吸引されることとなって、前記握柄部材と前記移動部材との相互間の距離が保持される。
【発明の効果】
【００１３】
請求項１の雨傘によれば、傘生地が張られた複数の傘骨の各々の中間部位が複数の支骨の一端にて軸支され、それら複数の支骨の他端が移動部材に軸支されており、また、傘生地の略中心部位が端部に固定され、かつ、複数の傘骨の根元端が端部で軸支された先端軸部材が、移動部材の軸中心を貫通して摺動自在に配設されており、この先端軸部材の他端部側には握柄部材が固定されている。
【００１４】
このため、傘を開く際には、握柄部材が保持され、先端軸部材の軸中心に沿って移動部材が先端軸部材の先端側から握柄部材側に摺動されることで徐々に傘骨等が傘の開き側となり、最終的に、移動部材が握柄部材に当接されることで、傘の開き側、即ち、傘に張られた傘生地が開かれるため、握柄部材が支持されることで傘の使用状態とされる。
【００１５】
一方、傘を開いた状態から閉じる際には、握柄部材が保持され、先端軸部材の軸中心に沿って移動部材が握柄部材から引離される方向に摺動されることで徐々に傘骨等が傘の閉じ側となり、最終的に、移動部材が先端軸部材の先端側に当接されることで、傘が閉じた状態となる。この際、傘の使用状態で傘生地に付着した雨滴は、傘生地の雨滴を受ける側が、傘を閉じた際に内側となるため雨滴の周囲への飛散が少なく、このまま傘骨側を上にして持ち歩けば、雨滴が周囲に付着して迷惑をかけることもないという効果が得られる。
【００１６】
請求項２の雨傘によれば、傘生地が張られた複数の傘骨の各々の中間部位が複数の支骨の一端にて軸支され、それら複数の支骨の他端が移動部材に軸支されており、また、複数の傘骨の根元端が先端部材の端部で軸支され、傘生地の略中心部位及び先端部材が端部に固定された軸部材が移動部材の軸中心を貫通して摺動自在に配設されており、この軸部材の他端部側には握柄部材が固定されている。
【００１７】
このため、傘を開く際には、握柄部材が保持され、軸部材の軸中心に沿って移動部材が先端部材側から握柄部材側に摺動されることで徐々に傘骨等が傘の開き側となり、最終的に、移動部材が握柄部材に当接されることで、傘の開き側、即ち、傘に張られた傘生地が開かれるため、握柄部材が支持されることで傘の使用状態とされる。
【００１８】
一方、傘を開いた状態から閉じる際には、握柄部材が保持され、軸部材の軸中心に沿って移動部材が握柄部材から引離される方向に摺動されることで徐々に傘骨等が傘の閉じ側となり、最終的に、移動部材が軸部材に固定された先端部材側に当接されることで、傘が閉じた状態となる。この際、傘の使用状態で傘生地に付着した雨滴は、傘生地の雨滴を受ける側が、傘を閉じた際に内側となるため雨滴の周囲への飛散が少なく、このまま傘骨側を上にして持ち歩けば、雨滴が周囲に付着して迷惑をかけることもないという効果が得られる。
【００１９】
請求項３の雨傘における握柄部材では、先端軸部材または軸部材の他端部側が長さ方向に進退自在に収納され、その他端部が傘を開いた状態で先端側、また、傘を閉じた状態で手元端側に固定されるから、請求項１または請求項２に記載の効果に加えて、傘を開いた状態における握柄部材の支持がし易く、また、先端軸部材または軸部材の他端部が握柄部材の手元端側に固定されることで、傘を閉じた状態が確実に維持されるという効果が得られる。
【００２０】
請求項４の雨傘によれば、傘生地が張られた複数の傘骨の各々の中間部位が複数の支骨の一端にて軸支され、それら複数の支骨の他端が移動部材に軸支されており、また、傘生地の略中心部位が先端部材の端部で固定され、複数の傘骨の根元端がその端部で軸支され、軸部材が先端部材及び移動部材の各々の軸中心を貫通して摺動自在に配設されており、傘を開く際に軸部材の先端方向への先端部材の移動が、拘束部材によって軸部材の端部で停止され、先端部材が軸部材の端部で拘束され、先端部材が軸部材の端部に拘束部材で拘束された状態で傘を開く際には、係止部材によって移動部材の移動が、所望位置に停止されると共に、傘を閉じる際には、所望位置での係止が解除され、軸部材の他端部側には握柄部材が固定されている。
【００２１】
このため、傘を開く際には、移動部材から傘の先端側が保持され、握柄部材が移動部材から引離される方向に引張られることで握柄部材に固定された軸部材が摺動され引出され、その軸部材の端部で拘束部材によって先端部材が停止されて拘束され、この後、軸部材の軸中心に沿って移動部材が先端部材側から握柄部材側に摺動されることで徐々に傘骨等が傘の開き側となり、最終的に、係止部材にて移動部材が所望位置に係止されることで、傘を開いた状態、傘に張られた傘生地が開かれるため、握柄部材が支持されることで傘の使用状態とされる。
【００２２】
一方、傘を開いた状態から閉じる際には、握柄部材が保持され、軸部材の軸中心に沿ってその先端方向に移動部材が摺動されることで徐々に傘骨等が傘の閉じ側となり、移動部材が拘束部材に拘束されている先端部材側に当接されることで、傘生地が張られた傘骨等が閉じられ、そして、拘束部材による先端部材の拘束が解除されたのち、係止部材による所望位置での係止が解除され、握柄部材が移動部材方向に押付けられることで軸部材が移動部材側に摺動され、最終的に、握柄部材が移動部材側に当接されることで、傘が閉じた状態となる。この際、傘の使用状態で傘生地に付着した雨滴は、傘生地の雨滴を受ける側が、傘を閉じた際に内側となるため雨滴の周囲への飛散が少なく、このまま傘骨側を上にして持ち歩けば、雨滴が周囲に付着して迷惑をかけることもないという効果が得られる。
【００２３】
請求項５の雨傘では、更に、複数の傘骨に摺動自在に配設され、かつ、傘生地の外周部が取付けられた取付部材が、弾性部材から付与される弾性力によって傘生地に張力が加わる方向に引っ張られるから、請求項１乃至請求項４に記載の効果に加えて、傘を閉じた状態と傘を開いた状態との途中で傘生地に無理な張力が加わることなく、かつ、傘を開いた状態の傘生地に所定の張り具合が得られる。
【００２４】
請求項６の雨傘では、更に、握柄部材及び／または移動部材に配設され、傘を開いた状態または傘を閉じた状態で握柄部材と移動部材との相互間の距離が保持手段によって保持されるから、請求項１乃至請求項５に記載の効果に加えて、傘を閉じた状態における握柄部材と移動部材との隣接状態が、握柄部材及び／または移動部材に配設された保持手段によって確実に保持されるという優れた操作性が得られる。
【００２５】
請求項７の雨傘における保持手段では、傘を開いた際に握柄部材と移動部材とが、相互間を永久磁石で吸引されることによって相互間の距離が保持されるものであるから、請求項６に記載の効果に加えて、傘を開いた状態または傘を閉じた状態にあっては、相互間に永久磁石の磁力による吸引力が働いて握柄部材と移動部材との隣接状態が保持され、結果として、傘を開いた状態または傘を閉じた状態が良好に維持されるという優れた操作性が得られる。
【発明を実施するための最良の形態】
【００２６】
以下、本発明の実施の形態について、図面に基づいて説明する。
【００２７】
実施の形態１．
図１は本発明の実施の形態１にかかる雨傘の全体構成を示す断面図である。また、図２は図１の要部構成を示す部分拡大断面図、図３は本発明の実施の形態１にかかる雨傘の傘骨の先端の要部構成及びその動作を示す部分拡大図である。そして、図４、図５及び図６は本実施の形態における雨傘の閉じ側から開き側への動作を示す部分拡大断面図である。なお、本実施の形態における傘骨等の本数は適宜、省略して示す。
【００２８】
図１乃至図３において、１００は傘を閉じた状態を示す雨傘であり、雨傘１００は主として、傘生地１が張られた複数の傘骨１０、複数の傘骨１０の各々の中間部位１２を先端２１にて支持する複数の支骨２０、傘生地１の略中心部位３を固定すると共に、複数の傘骨１０の根元端１１を軸支する先端部材３０、複数の支骨２０の根元端２２を軸支する移動部材４０、先端部材３０及び移動部材４０の軸中心を貫通して摺動自在な軸部材５０、軸部材５０の先端５１に固定され、傘を開く際に先端部材３０を拘束する拘束部材６０、傘を開く際、移動部材４０を軸部材５０の所望位置に係止する突起部７１，７２を有する係止部材７０、軸部材５０の後端５２側に固定された握柄部材８０から構成されている。
【００２９】
なお、先端部材３０、移動部材４０及び握柄部材８０の材質は、非磁性材料からなり、先端部材３０の後端側、移動部材４０の後端側には磁性材料からなるリング状の補助部材３６，４６、この先端部材３０、移動部材４０の補助部材３６，４６に対向する移動部材４０、握柄部材８０の先端側にはリング状の永久磁石４５，８５がそれぞれ埋設されている。
【００３０】
ここで、例えば、布地またはビニール地等からなる傘生地１は、傘骨１０の長さ寸法や本数に基づき、傘を開いた状態における角度に合わせて裁断された二等辺三角形の隣合った等辺同士が縫製または接合等され形成されている。そして、傘生地１の外周部である多角形の頂点部位２が傘骨１０に摺動自在に配設された取付部材１５に取付けられ、また、傘生地１の略中心部位３が先端部材３０の端部に糸等を用いて固定されている。なお、取付部材１５は、図３に示すように、ばね１８によって傘生地１に対して張力が加わるように、傘骨１０の先端１３側に常時、弾性力が付与されている。ここで、取付部材１５の移動範囲は、図３（ｂ）に示すように、傘骨１０に固定された当接部材１４及びばね座１９により規制されている。
【００３１】
次に、雨傘１００において、傘を閉じた状態から開いた状態とする際の動作及び傘の使用状態について、図１乃至図６を参照して説明する。
【００３２】
まず、図１及び図２に示すように、雨傘１００における傘を閉じた状態では、握柄部材８０は、その永久磁石８５でそれに対向する移動部材４０の補助部材４６が吸引され、また、移動部材４０の永久磁石４５でそれに対向する先端部材３０の補助部材３６が吸引されている。この状態にあっては、移動部材４０が軸部材５０に沿って摺動できないため、傘本体が完全に閉じた状態を維持される。なお、傘を閉じた状態における雨傘１００にあっては、従来の傘と同様、傘生地１または傘骨１０に取付けられたベルト（図示略）によって、傘生地１や傘骨１０の周囲が束ねられ固定されることで傘生地１が傘骨１０から大きくはみ出さないようにされている。
【００３３】
そこで、傘を開く際には、図１及び図２において、まず、傘生地１や傘骨１０の周囲を束ねて固定しているベルト（図示略）が外され、移動部材４０から先端側を握った状態で握柄部材８０が移動部材４０から引抜くように引張られる。すると、握柄部材８０に固定された軸部材５０が先端部材３０及び移動部材４０を軸中心として手元側に移動される。そして、軸部材５０の先端５１に固設された拘束部材６０が先端部材３０に当接されたのち、移動部材４０から先端側に対して握柄部材８０が回転されることで、図４に示すように、拘束部材６０の雄ねじ部６１が先端部材３０の雌ねじ部３１に螺合され固定される。これにより、軸部材５０を軸中心として移動部材４０が握柄部材８０側に移動自在となる。なお、本実施の形態における拘束部材６０と先端部材３０とは、ねじを用いて固定するようにしているが、本発明を実施する場合には、これに限定されるものではなく、要は、傘を開く際に、軸部材５０の先端５１に先端部材３０を拘束することができる機構であればよい。
【００３４】
次に、握柄部材８０を保持した状態で、軸部材５０を軸中心として移動部材４０が握柄部材８０側、即ち、傘の開き側に移動開始される。このとき、先端部材３０が軸部材５０の先端５１の拘束部材６０に固定されていることで、移動部材４０の傘の開き側への移動に伴って、移動部材４０に軸支されている支骨２０、先端部材３０に軸支されている傘骨１０、この傘骨１０に取付けられた傘生地１等が傘の開き側に移動されることとなる。
【００３５】
即ち、軸部材５０を軸中心として移動部材４０が傘の開き側に移動開始されると、拘束部材６０を介して軸部材５０に固定された先端部材３０に根元端１１が軸支された傘骨１０の中間部位１２が、移動部材４０に根元端２２が軸支された支骨２０の先端２１にて支持されているため、傘骨１０は先端部材３０に軸支された根元端１１を支点として傘の使用状態となる方向に徐々に開かれる。
【００３６】
そして、図５に示すように、傘骨１０の方向が軸部材５０と垂直となるときには、傘生地１がその略中心部位３に対して最も引張られた状態となり、傘生地１が取付けられると共に、傘骨１０の先端１３で摺動自在に配設されている取付部材１５が、図３（ｂ）に示すように、ばね１８の付勢力に抗して傘骨１０の根元端１１側に移動される。
【００３７】
更に、軸部材５０を軸中心として移動部材４０が傘の開き側に移動され、図６に示すように、移動部材４０が軸部材５０の傘を開いた状態に対応する所望位置に配設された突起部７１，７２を有する係止部材７０に係止されると傘が完全に開いた状態となる。このように、傘が完全に開いた状態のとき、係止部材７０より軸部材５０の先端側で移動部材４０の先端に当接するように軸部材５０に配設された略半円形状からなる突起部７２は、移動部材４０が軸部材５０の先端側に不用意に移動しないように、即ち、傘を開いた状態を維持させるためのものである。この突起部７１，７２を有する係止部材７０には、図２に示すように、突起部７１，７２に一体的に接続され軸部材５０内に収容された板ばね７３による弾性力が付与されており、係止部材７０の突起部７１，７２は軸部材５０の外周面から常時、突出されている。
【００３８】
そして、上述したように、傘を開く際に、握柄部材８０が移動部材４０から引抜くように引張られるとき、即ち、軸部材５０の先端５１側への先端部材３０を伴う移動部材４０の移動に際しては、それらにより係止部材７０の突起部７１，７２が軸部材５０の中心側に押付けられることで、係止部材７０の突起部７１，７２が軸部材５０内に収納状態となる。これにより、先端部材３０及び移動部材４０は軸部材５０の所望位置から先端５１側へ移動されることとなる。一方、傘を閉じる際には、意図的に係止部材７０の突起部７１が軸部材５０の中心側に押付けられることで、係止部材７０の突起部７１が軸部材５０内に収納状態となり、軸部材５０の先端５１側から後端５２側への先端部材３０を伴う移動部材４０の移動が可能となる。
【００３９】
このように、本実施の形態の雨傘１００は、傘生地１の雨滴を受ける側が、傘を閉じた際に内側となるものであって、傘生地１が張られた複数の傘骨１０の各々の中間部位１２を先端２１にて軸支した複数の支骨２０の根元端２２を軸支する移動部材４０と、傘生地１の略中心部位３を端部に固定すると共に、複数の傘骨１０の根元端１１を端部で軸支する先端部材３０と、先端部材３０及び移動部材４０の各々の軸中心を貫通して摺動自在に配設された軸部材５０と、傘を開く際に軸部材５０の先端方向への先端部材３０の移動を、軸部材５０の先端５１で停止させると共に、先端部材３０を軸部材５０の先端５１に拘束する拘束部材６０と、先端部材３０を軸部材５０の先端５１に拘束部材６０で拘束した状態で傘を開く際、移動部材４０の移動を所望位置に係止すると共に、傘を閉じる際、所望位置での係止を解除させる突起部７１，７２を有する係止部材７０と、軸部材５０の後端５２側に固定された握柄部材８０とを具備するものである。
【００４０】
つまり、傘生地１が張られた複数の傘骨１０の各々の中間部位１２が複数の支骨２０の先端２１にて軸支され、それら複数の支骨２０の根元端２２が移動部材４０に軸支されており、また、傘生地１の略中心部位３が先端部材３０の端部で固定され、複数の傘骨１０の根元端１１がその端部で軸支され、軸部材５０が先端部材３０及び移動部材４０の各々の軸中心を貫通して摺動自在に配設されており、傘を開く際に軸部材５０の先端５１方向への先端部材３０の移動が、拘束部材６０によって軸部材５０の先端５１で停止され、先端部材３０が軸部材５０の先端５１で拘束された状態で、移動部材４０の移動が突起部７１，７２を有する係止部材７０によって所望位置に係止され、傘を閉じる際、拘束部材６０による先端部材３０の拘束が解かれ、先端部材３０を伴った移動部材４０の所望位置での係止が解除されるものであり、軸部材５０の後端５２側には握柄部材８０が固定されている。
【００４１】
このため、傘を開く際には、移動部材４０から傘の先端側が保持され、握柄部材８０が移動部材４０から引離される方向に引張られることで握柄部材８０に固定された軸部材５０が摺動され引出され、その軸部材５０の先端５１で拘束部材６０によって先端部材３０が停止され螺合されることで拘束され、この後、軸部材５０の軸中心に沿って移動部材４０が先端部材３０側から握柄部材８０側に摺動されることで徐々に傘骨１０等が傘の開き側となり、最終的に、移動部材４０が軸部材５０の所望位置に配設された突起部７１，７２を有する係止部材７０にて係止されることで、傘に張られた傘生地１が開かれるため、握柄部材８０が支持されることで傘の使用状態とされる。
【００４２】
一方、傘を開いた状態から閉じる際には、握柄部材８０が保持され、意図的に係止部材７０の突起部７１が押下げられることで移動部材４０が、軸部材５０の軸中心に沿って摺動自在となり、その先端５１方向に摺動されることで徐々に傘骨１０等が傘の閉じ側となり、移動部材４０が拘束部材６０に拘束されている先端部材３０側に当接されることで、傘に張られた傘生地１が閉じられ、そして、拘束部材６０による先端部材３０の拘束が解除され、意図的に再度、係止部材７０の突起部７１が押下げられ係止が解除されたのち、握柄部材８０が移動部材４０方向に押付けられることで軸部材５０が移動部材４０側に摺動され、最終的に、握柄部材８０が移動部材４０側に当接されることで、傘が閉じた状態となる。この際、傘の使用状態で傘生地１に付着した雨滴は、傘生地１の雨滴を受ける側が、傘を閉じた際に内側となるため雨滴の周囲への飛散が少なく、このまま傘骨１０側を上にして持ち歩けば、雨滴が周囲に付着して迷惑をかけることもないという効果が得られる。
【００４３】
また、本実施の形態の雨傘１００は、更に、複数の傘骨１０に摺動自在に配設され、傘生地１の外周部の頂点部位２を取付けた取付部材１５と、傘生地１に対して張力が加わるように取付部材１５に弾性力を付与する弾性部材としてのばね１８とを具備するものである。つまり、複数の傘骨１０に摺動自在に配設され、かつ、傘生地１の頂点部位２が取付けられた取付部材１５に、傘生地１に対して張力が加わるようにばね１８によって弾性力が付与されるから、傘を閉じた状態と傘を開いた状態との途中で傘生地１に無理な張力が加わることなく、かつ、傘を開いた際の傘生地１に所定の張り具合が得られる。
【００４４】
なお、雨傘１００の使用状態において、傘生地１がばね１８によって取付部材１５を介して張られる方向に付勢されることで、軸部材５０の後端５２方向へ移動部材４０に対して分力が働くこととなり、傘が開き側に維持される状態となることから、移動部材４０を軸部材５０に配設された係止部材７０の突起部７１に係止させるだけの構成であってもよい。
【００４５】
しかしながら、傘を開いた状態において、傘生地１の雨滴を受ける側と反対側に風等によって強い力がかかると、移動部材４０が軸部材５０を軸中心として摺動し傘の閉じ側に移動する可能性が想定される。この対策として、本実施の形態では、傘を開いた状態であるときに、係止部材７０によって移動部材４０が係止されている所望位置を維持できるように、移動部材４０の先端側に対応する軸部材５０の位置には、係止部材７０の突起部７１の押下げに協動する突起部７２が、それらに弾性力を付与する板ばね７３と共に一体的に構成されている。このため、傘の開き状態が不用意に解除されず、より確実に傘の開いた状態を維持させることができる。なお、係止部材７０の突起部７１，７２は、一体の構成である必要はなく、個々に独立的に弾性力が付与され、軸部材５０の外周面から常時、突出されているような構成とすることもできる。
【００４６】
更に、傘を閉じた状態においては、移動部材４０及び先端部材３０を握柄部材８０側への当接状態を維持させることで、傘の閉じ状態が不用意に解除されないようにできる。
【００４７】
このため、本実施の形態の雨傘１００は、更に、握柄部材８０及び／または移動部材４０に配設され、傘を開いた状態で握柄部材８０と移動部材４０との相互間の距離を保持する保持手段を具備するものであり、保持手段として、具体的には、握柄部材８０と移動部材４０との相互間を永久磁石８５で吸引させることによって相互間の距離を保持するものである。また、本実施の形態の雨傘１００では、移動部材４０と先端部材３０との相互間も永久磁石４５で吸引させることによって相互間の距離が保持され、傘を開く際や傘を閉じる際の操作がより確実に行えるように構成されている。
【００４８】
つまり、本実施の形態の雨傘１００のように、握柄部材８０、移動部材４０及び先端部材３０の材質が非磁性材料からなるときには、互いに対向する端面のうち握柄部材８０に永久磁石８５、移動部材４０に磁性材料からなる補助部材４６、移動部材４０に永久磁石４５、先端部材３０に磁性材料からなる補助部材３６をそれぞれ埋設すれば、傘を開く際や傘を閉じる際には、移動部材４０側の永久磁石４５に先端部材３０側の補助部材３６が吸着されることによって移動部材４０と先端部材３０との相互間の隣接状態が保持される。また、傘を閉じた状態では、握柄部材８０側の永久磁石８５に移動部材４０側の補助部材４６が吸着されることによって握柄部材８０と移動部材４０との相互間の隣接状態が保持される。このような構成によれば、傘を開く際や傘を閉じる際の先端部材３０を伴う移動部材４０の移動、また、傘の閉じた状態を良好に維持することができる。なお、握柄部材８０、移動部材４０または先端部材３０の互いに対向する端面のうち、少なくとも一方の材質が磁性材料からなるときには、他方に永久磁石を埋設するだけで、同様の作用・効果を得ることができる。
【００４９】
ところで、上記実施の形態では、保持手段として相互間を永久磁石で吸引させることによって相互間の距離を保持する構成としたが、本発明を実施する場合には、これに限定されるものではなく、図７に示すように、傘を閉じた状態において、移動部材４０に設けられた孔４１を機械的に引掛けて保持したり、その引掛けを釦９２を押下げることで解除したりできるような突起部９１を有するロック機構９０を握柄部材８０に配設することにより、相互間の距離を保持する構成とすることもできる。この突起部９１を有するロック機構９０には、突起部９１に一体的に接続され軸部材５０内に収容された板ばね９３による弾性力が付与されており、ロック機構９０の突起部９１は軸部材５０の外周面から常時、突出されている。この場合には、傘を閉じた状態における握柄部材と移動部材との相互間の距離をより確実に保持させることができる。
【００５０】
また、上記実施の形態では、握柄部材８０が円柱状に形成されているが、本発明を実施する場合には、これに限定されるものではなく、握柄部材の手元端側をフック形状とすれば、傘を持ち歩くときの利便性や傘の使用状態における支持の安定性を増すことができる。
【００５１】
実施の形態２．
図８は本発明の実施の形態２にかかる雨傘の全体構成を示す断面図である。また、図９は図８の要部構成を示す部分拡大断面図である。そして、図１０、図１１及び図１２は本実施の形態における雨傘の閉じ側から開き側への動作を示す部分拡大断面図である。なお、本実施の形態における傘骨の先端の要部構成及びその動作を示す部分拡大図については、上述の実施の形態１における図３と同様であるため、図３を参照して説明する。また、本実施の形態における傘骨等の本数は適宜、省略して示す。
【００５２】
図８及び図９において、２００は傘を閉じた状態を示す雨傘であり、雨傘２００は主として、傘生地１が張られた複数の傘骨１０、複数の傘骨１０の各々の中間部位１２を先端２１にて支持する複数の支骨２０、複数の傘骨１０の根元端１１を軸支する先端部材１３０、複数の支骨２０の根元端２２を軸支する移動部材１４０、傘生地１の略中心部位３と共に先端部材１３０をその先端１５１に固定すると共に、移動部材１４０の軸中心を貫通して摺動自在な軸部材１５０、軸部材１５０の後端１５２側に形成された雄ねじ部１５３を長さ方向に進退自在に収納するため、その内部に中空な内壁１８１が形成され、かつ、軸部材１５０の後端１５２に形成された雄ねじ部１５３を、傘を開いた状態のときには先端側に螺合させるための雌ねじ部１８２、また、傘を閉じた状態のときには手元端側に螺合させるための雌ねじ部１８３がそれぞれ形成された握柄部材１８０から構成されている。
【００５３】
なお、移動部材１４０と握柄部材１８０との材質は、共に非磁性材料からなり、移動部材１４０の後端側には磁性材料からなるリング状の補助部材１４６、この移動部材１４０の補助部材１４６に対向する握柄部材１８０の先端側にはリング状の永久磁石１８５がそれぞれ埋設されている。また、握柄部材１８０の雌ねじ部１８３にはキャップ部材１８４が取付けられている。
【００５４】
ここで、上述の実施の形態と同様、例えば、布地またはビニール地等からなる傘生地１は、傘骨１０の長さ寸法や本数に基づき、傘を開いた状態における角度に合わせて裁断された二等辺三角形の隣合った等辺同士が縫製または接合等され形成されている。そして、傘生地１の外周部である多角形の頂点部位２が傘骨１０に摺動自在に配設された取付部材１５に取付けられ、また、傘生地１の略中心部位３及び先端部材１３０が、軸部材１５０の先端１５１にねじ１５６にてねじ止め固定されている。なお、取付部材１５は、図３に示すように、ばね１８によって傘生地１に対して張力が加わるように、傘骨１０の先端１３側に常時、弾性力が付与されている。ここで、取付部材１５の移動範囲は、図３（ｂ）に示すように、傘骨１０に固定された当接部材１４及びばね座１９により規制されている。
【００５５】
次に、雨傘２００において、傘を閉じた状態から開いた状態とする際の動作及び傘の使用状態について、図８乃至図１２を参照して説明する。
【００５６】
まず、図８及び図９に示すように、雨傘２００における傘を閉じた状態では、握柄部材１８０の雌ねじ部１８３が軸部材１５０の後端１５２に形成された雄ねじ部１５３と螺合され固定されている。この状態にあっては、移動部材１４０が軸部材１５０に沿って摺動できないため、傘本体が完全に閉じた状態を維持される。なお、傘を閉じた状態における雨傘２００にあっては、従来の傘と同様、傘生地１または傘骨１０に取付けられたベルト（図示略）によって、傘生地１や傘骨１０の周囲が束ねられ固定されることで傘生地１が傘骨１０から大きくはみ出さないようにされている。
【００５７】
そこで、傘を開く際には、図８及び図９において、まず、傘生地１や傘骨１０の周囲を束ねて固定しているベルト（図示略）が外され、移動部材１４０から先端側を握った状態で握柄部材１８０が回転されることで、握柄部材１８０の手元端側の雌ねじ部１８３と軸部材１５０の雄ねじ部１５３との螺合状態が解除される。すると、軸部材１５０を軸中心として握柄部材１８０が移動可能となり、相対的に軸部材１５０の雄ねじ部１５３が握柄部材１８０の内壁１８１に沿って先端側に移動される。そして、移動部材１４０から先端側を握った状態で握柄部材１８０が回転されることで、図１０に示すように、軸部材１５０の雄ねじ部１５３が握柄部材１８０の先端側の雌ねじ部８２に螺合される。これにより、軸部材１５０を軸中心として移動部材１４０が握柄部材１８０側に移動自在となる。
【００５８】
次に、軸部材１５０を軸中心として移動部材１４０が握柄部材１８０側、即ち、傘の開き側に移動開始される。このとき、先端部材１３０が軸部材１５０の先端１５１に固定されていることで、移動部材１４０の傘の開き側への移動に伴って、移動部材１４０に軸支されている支骨２０、先端部材１３０に軸支されている傘骨１０、この傘骨１０に取付けられた傘生地１等が傘の開き側に移動されることとなる。
【００５９】
即ち、軸部材１５０を軸中心として移動部材１４０が傘の開き側に移動開始されると、軸部材１５０に固定された先端部材１３０に根元端１１が軸支された傘骨１０の中間部位１２が、移動部材１４０に軸支された支骨２０にて支持されているため、傘骨１０は先端部材１３０に軸支された根元端１１を支点として傘の使用状態となる方向に徐々に開かれる。
【００６０】
そして、図１１に示すように、傘骨１０の方向が軸部材１５０と垂直となるときには、傘生地１がその略中心部位３に対して最も引張られた状態となり、傘生地１が取付けられると共に、傘骨１０の先端１３で摺動自在に配設されている取付部材１５が、図３（ｂ）に示すように、ばね１８の付勢力に抗して傘骨１０の根元端１１側に移動される。
【００６１】
更に、軸部材１５０を軸中心として移動部材１４０が傘の開き側に移動され、図１２に示すように、傘が完全に開いた状態では、握柄部材１８０に移動部材１４０が当接される。すると、移動部材１４０に埋設されている補助部材１４６が、握柄部材１８０に埋設されている永久磁石１８５に吸着されることとなり、握柄部材１８０と移動部材１４０との相互間の隣接状態が保持され、傘を開いた状態に維持させることができる。
【００６２】
このように、本実施の形態の雨傘２００は、傘生地１の雨滴を受ける側が、傘を閉じた際に内側となるものであって、傘生地１が張られた複数の傘骨１０の各々の中間部位１２を先端２１にて軸支した複数の支骨２０の根元端２２を軸支する移動部材１４０と、複数の傘骨１０の根元端１１を端部で軸支する先端部材１３０と、傘生地１の略中心部位３及び先端部材１３０を先端１５１に固定すると共に、移動部材１４０の軸中心を貫通して摺動自在に配設された軸部材１５０と、軸部材１５０の後端１５２側に固定された握柄部材１８０とを具備するものである。
【００６３】
つまり、傘生地１が張られた複数の傘骨１０の各々の中間部位１２が複数の支骨２０の先端２１にて軸支され、それら複数の支骨２０の根元端２２が移動部材１４０に軸支されており、また、複数の傘骨１０の根元端１１が端部で先端部材１３０に軸支されており、傘生地１の略中心部位３が端部に固定され、かつ、移動部材の軸中心を貫通して摺動自在に軸部材１５０が配設されており、この軸部材１５０の後端１５２側には握柄部材が固定されている。
【００６４】
このため、傘を開く際には、握柄部材１８０がその手元端側の雌ねじ部１８３に螺合されている軸部材１５０の雄ねじ部１５３を解除し、握柄部材１８０を軸部材１５０の軸中心に沿って引出し、先端側の雌ねじ部１８２に軸部材１５０の雄ねじ部１５３を螺合させたのち、握柄部材１８０が保持され、軸部材１５０の軸中心に沿って移動部材１４０が先端部材１３０側から握柄部材１８０側に摺動されることで徐々に傘骨１０等が傘の開き側となり、最終的に、移動部材１４０が握柄部材１８０に当接されることで、傘の開き側、即ち、傘に張られた傘生地１が開かれるため、握柄部材１８０が支持されることで傘の使用状態とされる。
【００６５】
一方、傘を開いた状態から閉じる際には、握柄部材１８０が保持され、軸部材１５０の軸中心に沿って移動部材１４０が握柄部材１８０から引離される方向に摺動されることで徐々に傘骨１０等が傘の閉じ側となり、最終的に、移動部材１４０が軸部材１５０に固定された先端部材１３０側に当接されることで、傘の閉じ側、即ち、傘に張られた傘生地１が閉じられる。この際、傘の使用状態で傘生地１に付着した雨滴は、傘生地１の雨滴を受ける側が、傘を閉じた際に内側となるため雨滴の周囲への飛散が少なく、このまま傘骨１０側を上にして持ち歩けば、雨滴が周囲に付着して迷惑をかけることもないという効果が得られる。
【００６６】
また、本実施の形態の雨傘２００の握柄部材１８０は、軸部材１５０の後端１５２側を長さ方向に進退自在に収納すると共に、その後端１５２を傘を開いた状態で先端側、また、傘を閉じた状態で手元端側に固定するものである。
【００６７】
この握柄部材１８０は、内部に収納される軸部材１５０に対する移動範囲が必要であり所定の長さとなるため、軸部材１５０の後端１５２が握柄部材１８０の先端側に固定されて、傘を開いた状態での支持がし易く、また、軸部材１５０の後端１５２が握柄部材１８０の手元端側に固定されたときに、握柄部材１８０及び移動部材１４０の対向する端面が当接するように軸部材１５０の軸長が設定されておれば、傘を閉じた状態が確実に維持されるという効果が得られる。
【００６８】
そして、本実施の形態の雨傘２００は、更に、複数の傘骨１０に摺動自在に配設され、傘生地１の外周部を取付けた取付部材１５と、傘生地１に張力が加わるように取付部材１５に弾性力を付与する弾性部材としてのばね１８とを具備するものである。つまり、複数の傘骨１０に摺動自在に配設され、かつ、傘生地１の外周部が取付けられた取付部材１５が、ばね１８によって傘生地１が引張られる方向に付勢されるから、傘を閉じた状態と傘を開いた状態との途中で傘生地１に無理な張力が加わることなく、かつ、傘を開いた際の傘生地１に所定の張り具合が得られる。
【００６９】
なお、雨傘２００の使用状態において、傘生地１がばね１８によって取付部材１５を介して張られる方向に付勢されることで、握柄部材１８０に当接する方向に移動部材１４０に対して分力が働くこととなり、傘が開き側に維持される状態となることから、握柄部材１８０と移動部材１４０との対向する端面は、当接させるだけの形状であってもよい。
【００７０】
しかしながら、傘を開いた状態において、傘生地１の雨滴を受ける側と反対側に風等によって強い力がかかると、移動部材１４０が軸部材１５０を軸中心として摺動し傘の閉じ側に移動する可能性が想定される。この対策としては、傘を開いた状態であるときに、握柄部材１８０と移動部材１４０との相互間の隣接状態を強制的に保持するようにすれば、傘の開き状態が不用意に解除されず、より確実に傘の開いた状態を維持させることができる。
【００７１】
このため、本実施の形態の雨傘２００は、更に、握柄部材１８０及び／または移動部材１４０に配設され、傘を開いた状態で握柄部材１８０と移動部材１４０との相互間の距離を保持する保持手段を具備するものであり、保持手段として、具体的には、握柄部材１８０と移動部材１４０との相互間を永久磁石１８５で吸引させることによって相互間の距離を保持するものである。
【００７２】
つまり、本実施の形態の雨傘２００のように、握柄部材１８０と移動部材１４０との両材質が非磁性材料からなるときには、互いに対向する端面のうち握柄部材１８０に永久磁石１８５、移動部材１４０に磁性材料からなる補助部材１４６をそれぞれ埋設すれば、傘を開いた状態で、握柄部材１８０側の永久磁石１８５に移動部材１４０側の補助部材１４６が吸着されることによって握柄部材１８０と移動部材１４０との相互間の隣接状態が保持される。このような構成によれば、傘の開いた状態を良好に維持することができる。なお、握柄部材１８０と移動部材１４０との互いに対向する端面のうち、少なくとも一方の材質が磁性材料からなるときには、他方に永久磁石を埋設するだけで、同様の作用・効果を得ることができる。
【００７３】
ところで、上記実施の形態では、保持手段として相互間を永久磁石で吸引させる構成としたが、本発明を実施する場合には、これに限定されるものではなく、傘を開いた状態において、握柄部材１８０及び／または移動部材１４０に対して、上記実施の形態１における図７に示したような、機械的に引掛けたり解除したりできるロック機構を同様に配設することにより、相互間の距離を保持する構成とすることもできる。
【００７４】
また、上記実施の形態では、握柄部材１８０が円柱状に形成されているが、本発明を実施する場合には、これに限定されるものではなく、握柄部材の手元端側をフック形状とすれば、傘を持ち歩くときの利便性や傘の使用状態における支持の安定性を増すことができる。
【００７５】
そして、上記実施の形態では、軸部材１５０と先端部材１３０とを別々の部材として構成したが、本発明を実施する場合には、これに限定されるものではなく、軸部材１５０と先端部材１３０とを一体化して１つの先端軸部材として構成することもできる。このような雨傘は、請求項１にかかる実施の形態に対応するものであり、上述の実施の形態と同様の作用・効果が期待できる。
【図面の簡単な説明】
【００７６】
【図１】図１は本発明の実施の形態１にかかる雨傘の全体構成を示す断面図である。
【図２】図２は図１の要部構成を示す部分拡大断面図である。
【図３】図３は本発明の実施の形態１にかかる雨傘の傘骨の先端の要部構成及びその動作を示す部分拡大図である。
【図４】図４は本発明の実施の形態１における雨傘の閉じ側から開き側への動作を示す部分拡大断面図である。
【図５】図５は本発明の実施の形態１における雨傘の閉じ側から開き側への図４に続く動作を示す部分拡大断面図である。
【図６】図６は本発明の実施の形態１における雨傘の閉じ側から開き側への図５に続く動作による傘の使用状態を示す部分拡大断面図である。
【図７】図７は本発明の実施の形態１における雨傘を閉じた状態を保持するロック機構を示す部分拡大断面図である。
【図８】図８は本発明の実施の形態２にかかる雨傘の全体構成を示す断面図である。
【図９】図９は図８の要部構成を示す部分拡大断面図である。
【図１０】図１０は本発明の実施の形態２における雨傘の閉じ側から開き側への動作を示す部分拡大断面図である。
【図１１】図１１は本発明の実施の形態２における雨傘の閉じ側から開き側への図１０に続く動作を示す部分拡大断面図である。
【図１２】図１２は本発明の実施の形態２における雨傘の閉じ側から開き側への図１１に続く動作による傘の使用状態を示す部分拡大断面図である。
【符号の説明】
【００７７】
１    傘生地
１０    傘骨
１２    中間部位
１５    取付部材
１８    ばね
２０    支骨
３０    先端部材
４０    移動部材
５０    軸部材
６０    拘束部材
７０    係止部材
８０    握柄部材
８５    永久磁石
１００    雨傘
１３０    先端部材
１４０    移動部材
１５０    軸部材
１８０    握柄部材
１８５    永久磁石
２００    雨傘
【図１】
2006280836.tif 000003
【図２】
2006280836.tif 000004
【図３】
2006280836.tif 000005
【図４】
2006280836.tif 000006
【図５】
2006280836.tif 000007
【図６】
2006280836.tif 000008
【図７】
2006280836.tif 000009
【図８】
2006280836.tif 000010
【図９】
2006280836.tif 000011
【図１０】
2006280836.tif 000012
【図１１】
2006280836.tif 000013
【図１２】
2006280836.tif 000014